(57)【要約】【課題】吸収体表面と着用者の肌との接触を効果的に回避する。【解決手段】スキンコンタクトシート（ＳＣＳ）は左右幅方向に伸縮性の側縁部と本体シート部に分割され、本体シート部が左右側縁部に隣接する液不透過性部分と液不透過性部分間の液透過性部分に分割されている。ＳＣＳは股下部を含む領域で、本体シート部が、伸縮性側縁部から吸収体表面に向かって垂れ下がるように構成され、股下部を含む領域に本体シート部の液透過性部分と吸収体表面とが接合した吸収体接合部を備え、それにより股下部の下に凸型の立体状態を形成する。【選択図】図１
2016059673.tif 000002
【特許請求の範囲】
【請求項１】
体液の漏れを防ぐシート状の防漏体と、前記防漏体の上部に少なくとも１層配置された体液を吸収しうる吸収体と、を有する吸収体物品本体と、
前記吸収体の上部に、前記吸収体物品本体の長さ方向の前端部から、前身頃、股下部及び後身頃を経て後端部にわたって配置されるスキンコンタクトシートと、
を具備する吸収体物品であって、
前記スキンコンタクトシートが、左右端部にそれぞれ設けられた伸縮性側縁部と、前記左右端部の前記伸縮性側縁部に接合された本体シート部とを有し、
前記スキンコンタクトシートの前端部と後端部が、前記吸収体物品本体の前端部及び後端部にそれぞれ接合され、
前記本体シート部が前記左右端部の前記伸縮性側縁部のそれぞれに隣接する液不透過性部分と、液不透過性部分間に配置される液透過性部分とから構成され、
股下部を含む領域で、前記本体シート部が、前記伸縮性側縁部から吸収体表面に向かって垂れ下がるように構成され、
股下部を含む領域で、前記本体シート部の液透過性部分の一部と、前記吸収体表面の一部とが、相互に接合する吸収体接合部を持つ吸収体物品。
【請求項２】
前記本体シート部は、左右の前記伸縮性側縁部に隣接する第１の部分と、前記第１の部分の下に配置され、前記第１の部分と重なる第２の部分とで多層化されるサイド部分、及び前記第２の部分間のセンター部分から構成されている請求項１に記載の吸収体物品。
【請求項３】
前記第１の部分は、左右の前記伸縮性側縁部が内向きになるように前記本体シート部が折り返されることで形成される請求項２に記載の吸収体物品。
【請求項４】
前記本体シート部は、左右の前記伸縮性側縁部に隣接する第１の部分と、前記第１の部分の下に配置され、前記第１の部分と重なる第２の部分と、前記第２の部分の下に配置され、前記第２の部分と重なる第３の部分と、で多層化されるサイド部分、及び前記第３の部分間のセンター部分から構成され、
前記第２の部分は、左右の前記伸縮性側縁部が内向きになるように前記本体シート部の一部が折り返されることで形成され、前記第１の部分は、更にその折り返された部分の一部を左右の前記伸縮性側縁部が外向きになるように再度折り返されることで形成される請求項１に記載の吸収体物品。
【請求項５】
前記本体シート部は、左右の前記伸縮性側縁部に隣接する第１の部分と、前記第１の部分の下に配置され、前記第１の部分と重なる第２の部分と、前記第２の部分の下に配置され、前記第２の部分と重なる第３の部分と、前記第３の部分の下に配置され、前記第３の部分と重なる第４の部分と、で多層化されるサイド部分、及び前記第４の部分間のセンター部分から構成され、
前記第３の部分は、左右の前記伸縮性側縁部が内向きになるように前記本体シート部の一部が折り返されることで形成され、前記第２の部分は、その折り返された部分の一部を左右の前記伸縮性側縁部が外向きになるように再度折り返されることで形成され、前記第１の部分は、その再度折り返された部分の一部を左右の前記伸縮性側縁部が内向きになるように再度折り返されることで形成される請求項１に記載の吸収体物品。
【請求項６】
前記折り畳まれて多層化したサイド部分が、前端及び後端では折り畳み状態が拡幅できないように接合固定し、
前記股下部では折り畳み状態を開放して伸びきる状態になるように構成する、請求項１〜５のいずれか１項に記載の吸収体物品。
【請求項７】
前記本体シート部の一部に吸収体表面への体液の移行出口が設けられている、請求項１〜６のいずれか１項に記載の吸収体物品。
【請求項８】
前記体液の移行出口が前身頃部と後見頃部の前後２か所に設けられている請求項７に記載の吸収体物品。
【請求項９】
着用時には、前記股下部を含む領域に、左右方向の断面形状が、前記スキンコンタクトシートの左右縁部からなる上部開口と前記本体シート部からなる左右側面と底面を有する下側に凸型の立体構造を有する請求項１〜８のいずれか１項に記載の吸収体物品。
【請求項１０】
股下部を含む領域において、前記本体シート部の一部に形状保持材を接合し、
股下部を含む領域に、左右方向の断面形状が、前記スキンコンタクトシートの前記左右縁部からなる上部開口と前記本体シート部からなる左右側面と底面を有する下側に凸型の立体構造が形成された場合に、前記形状保持材は凸型形状を安定に維持する請求項１〜９のいずれか１項に記載の吸収体物品。
【請求項１１】
前記形状保持材が前記本体シート部の左右側面に設けられている請求項１０に記載の吸収体物品。
【請求項１２】
前記形状保持材が前記本体シート部の左右側面の外側に設けられている請求項１１に記載の吸収体物品。
【請求項１３】
前記形状保持材が前記本体シート部の左右側面の内側に設けられている請求項１１に記載の吸収体物品。
【請求項１４】
前記形状保持材が前記本体シート部の左右側面から底面にわたって設けられている請求項１１に記載の吸収体物品。
【請求項１５】
前記形状保持材が前記本体シート部の左右側面の一方の外側から底面の下側を経て他方の外側にわたって設けられている請求項１２に記載の吸収体物品。
【請求項１６】
前記形状保持材が前記本体シート部の左右側面の一方の内側から底面の上側を経て他方の内側にわたって設けられている請求項１３に記載の吸収体物品。
【請求項１７】
前記形状保持材が液不透過性のシートである請求項１０〜１６のいずれか１項に記載の吸収体物品。
【請求項１８】
前記形状保持材が液不透過性の発泡シートである請求項１０〜１６のいずれか１項に記載の吸収体物品。
【請求項１９】
前記形状保持材がシート状の吸収体である請求項１０〜１６のいずれか１項に記載の吸収体物品。
【請求項２０】
前記吸収体接合部が前後方向に連続した線状あるいは帯状で存在する請求項１〜１９のいずれか１項に記載の吸収体物品。
【請求項２１】
前記吸収体接合部が前後方向に不連続な線状あるいは帯状で存在する請求項１〜１９のいずれか１項に記載の吸収体物品。
【請求項２２】
前記吸収体接合部が股下部内に配置されている請求項１〜２１のいずれか１項に記載の吸収体物品。
【請求項２３】
前記吸収体接合部が股下部から前身頃に延在している請求項１〜２１のいずれか１項に記載の吸収体物品。
【請求項２４】
前記吸収体接合部が股下部から後身頃に延在している請求項１〜２１のいずれか１項に記載の吸収体物品。
【請求項２５】
前記防漏体が着用時に、少なくとも股下部において、下側に凸型の形状となる請求項１〜２４のいずれか１項に記載の吸収体物品。
【請求項２６】
前記スキンコンタクトシートの左右外側にＩＬＧが併設されている請求項１〜２５のいずれか１項に記載の吸収体物品。
【請求項２７】
前記スキンコンタクトシートの左右外側にＯＬＧが併設されている請求項１〜２６のいずれか１項に記載の吸収体物品。
【請求項２８】
前記ＯＬＧが股下部にのみに配置されている請求項２７に記載の吸収体物品。
【請求項２９】
前記スキンコンタクトシートの左右外側面にＨＷＧ（ヒップラップギャザー）が接合されている請求項１〜２５のいずれか１項に記載の吸収体物品。
【請求項３０】
体液の漏れを防ぐシート状の防漏体と、前記防漏体の上部に少なくとも１層配置された体液を吸収しうる吸収体と、を有する吸収体物品本体の前端部及び後端部に、前端部と後端部がそれぞれ接合され、
前記吸収体の上部に、前記吸収体物品本体の長さ方向の前端部から、前身頃、股下部及び後身頃を経て後端部にわたって配置されるスキンコンタクトシートであって、
前記スキンコンタクトシートが、左右端部にそれぞれ設けられた伸縮性側縁部と、前記左右端部の前記伸縮性側縁部に接合された本体シート部とを有し、
前記本体シート部が前記左右端部の前記伸縮性側縁部のそれぞれに隣接する液不透過性部分と、液不透過性部分間に配置される液透過性部分とから構成されるスキンコンタクトシート。
【発明の詳細な説明】
【技術分野】
【０００１】
本発明は、吸収体物品及びスキンコンタクトシートに関し、特にスキンコンタクトシートを有する吸収体物品及びスキンコンタクトシートに関する。
【背景技術】
【０００２】
吸収体物品とは子供用及び大人用オムツ、生理用ナプキン、失禁対策商品、トレーニングパンツ等のような着用者から排出された体液を、高吸収性樹脂（以下ＳＡＰともいう）やフラッフ状にした木材パルプ等を用いた吸収体により、吸収処理する物品である。
【０００３】
従来の吸収体物品においては、排出された体液は、排出器から直接に吸収体の表面に排出され、吸収体の表面における拡散と、吸収体の表面から吸収体の内部への移行により、吸収体に吸収・処理される。
【０００４】
従って吸収体物品からその外部へのリーク（漏れ）を防ぐためには、吸収体物品と着用者の身体との間に間隙が生じないように密着させ、かつ吸収体の表面と着用者の肌面特に排出器とを密着させることが求められる。このような状況で体液が排出されると着用者は長時間にわたって、体液で濡れている吸収体の表面と肌が密着した状態で過ごすことになる。このような着用者の肌に体液が接触し続ける状態で過ごすことは、着用者にとっては不快であるだけでなく、皮膚を膨化させ、細菌増殖の原因となり、かぶれや炎症を引き起こす事態を招くことにもなり、好ましくない。
【０００５】
このような問題を解決する手段の一つとして吸収体サーフェスシート（トップシート）の上部に、空隙を介して、更に一層の肌に接触するスキンコンタクトシート（上面シート、第二トップシートともいう）を設けて、吸収体表面との直接的接触を回避することが行われてきた。スキンコンタクトシート（Skin Contact Sheetの頭文字を取って今後ＳＣＳと略称する）を利用する手段のコンセプトは次の２つのグループに分けられる。
【０００６】
第一のグループはＳＣＳを構成するシート材料が親水性で液透過性を備えていて、排出された体液は、まず身体表面に常に接触状態にあるＳＣＳで捕集し、そののちに吸収体サーフェスシートに体液を供給することにより、このＳＣＳのクッション効果により、より均一な体液処理を行い、それにより尿漏れ、軟便漏れの軽減を狙い目とするものであり、例えば特許文献１及び特許文献２で提案されているものである。
【０００７】
第二のグループでは上記欠点をなくすためＳＣＳを疎水性で、液不透過性の材料に変え、尿及び便の透過する専用の尿用開口と便用開口を設けたもので、併せて尿と便を分離することを狙いとしたものであり、例えば特許文献３〜特許文献８で提案されているものである。
【先行技術文献】
【特許文献】
【０００８】
【特許文献１】特開平３−２３１６６４号公報
【特許文献２】特開平３−２３４２５７号公報
【特許文献３】特開２００２−１１０４４号公報
【特許文献４】特開２００２−１４３２１７号公報
【特許文献５】特開２００２−２０４８１１号公報
【特許文献６】特開２００７−１９０３１５号公報
【特許文献７】特開２００７−２３６９１１号公報
【特許文献８】特許第５１０１７５３号公報
【発明の概要】
【発明が解決しようとする課題】
【０００９】
上記第一グループのコンセプトの課題は、（１）ＳＣＳの全面親水性で常に身体表面に接触しているためＳＣＳが濡れると同時に身体表面も体液が付着し、濡れてしまうことが避けられない。そのため、かぶれの発生が防止できないこと、（２）ＳＣＳの親水性に伴い体液が上下及び左右に浸透し滲み出すことによる尿漏れが発生することである。
上記第二グループのコンセプトの課題は、（１）構造が複雑となるため素材の使用種類が多くなり、製造プロセスも高価になり、製品がコストアップしてしまうこと、（２）尿用開口と便用開口を通過できない体液は逃げる場所がないため身体に付着してしまうことである。
【課題を解決するための手段】
【００１０】
本発明の吸収体物品のＳＣＳは、その構造の大部分が吸収体表面から浮き上がって存在するというＳＣＳの基本特徴を有すると同時に、股下部に吸収体表面との固定部を持ち安定した谷型の立体構造を構成することにより、股下部に於ける吸収体表面と着用者の肌との接触を効果的に回避出来る吸収体物品であって具体的には次のような特徴を備えている。すなわち、
（１）  ＳＣＳは左右幅方向に伸縮性の側縁部と本体シート部に分割されている。
（２）  ＳＣＳは更に本体シート部が左右側縁部に隣接する液不透過性部分と液不透過性部分間の液透過性部分に分割されている。
（３）  ＳＣＳは股下部を含む領域で、本体シート部が、伸縮性側縁部から吸収体表面に向かって垂れ下がるように構成されている。
（４）  ＳＣＳは股下部を含む領域に本体シート部の液透過性部分と吸収体表面とが接合した吸収体接合部を備えている。
本発明の吸収体物品のＳＣＳは、股下部の立体状態が十分な深さと幅を確保する為には、股下部の本体シート部の幅を広くすることが望ましい。そのためＳＣＳのサイド部に折り畳み状態（多重状態）を形成し、前端と後端では折り畳み状態を固定し拡幅できないようにし、前身頃と後身頃では一部拡幅し、股下部では折り畳み状態が開放されて、伸び切る状態にして下に凸型の立体状態を形成することが望ましい。
更に本発明のＳＣＳがより効果を発揮するためには股下部を含む領域の本体シート部に形状保持材を接合し、股下部の下に凸型の立体状態を安定化することが望ましい。
【発明の効果】
【００１１】
本発明によれば、吸収体表面と着用者の肌との接触を効果的に回避することが出来る。
【図面の簡単な説明】
【００１２】
【図１】本発明の吸収体物品の代表的な実施形態の構成を例示する図である。
【図２】本実施形態の吸収体物品のＳＣＳの基本コンセプトの横端面である。
【図３】本実施形態の吸収体物品のＳＣＳの具体化例を示す模式図である。
【図４】ＳＣＳの液不透過性部分と液透過性部分の存在状態を説明する左右の断面模式図である。
【図５】ＳＣＳのサイド部の多層化状態を示す、左右方向の横断面模式図である。
【図６】多層化状態のサイド部を備えるＳＣＳを有する本発明の吸収体物品の他の実施形態を示す図である。
【図７】多層化状態のサイド部を備えるＳＣＳを有する本発明の吸収体物品の更に他の実施形態を示す図である。
【図８】ＳＣＳの本体シート部に形状保持材を接合した態様例を示す図である。
【図９】ＳＣＳの本体シート部に形状保持材を接合した場合の本発明の吸収体物品の更に他の実施形態を示す図である。
【図１０】ＳＣＳの本体シート部に形状保持材を接合した場合の本発明の吸収体物品の更に他の実施形態を示す図である。
【図１１】上述した本発明の各実施形態の吸収体物品の効果を示す説明図である。
【発明を実施するための形態】
【００１３】
以下、本発明の吸収体物品を添付図面に示す一実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の身体の前側に対応する側を「前」といい、後側に対応する側を「後」という。また各図中、理解を容易にするために、実際には接触している部材を離間させて示すことがある。添付した図面中の各平面図においては図の左側に吸収体物品等の前側が位置するように図示してある。
【００１４】
更に本明細書においては、「吸収体の表面」とは吸収体が露出している場合は、その表面を意味し、吸収体が拡散シート、アクイジションシート、サーフェスシート（トップシート）、コアラップシート等で被覆されている場合は、被覆している拡散シート、アクイジションシート、サーフェスシート（トップシート）、コアラップシート等の表面を意味する。
【００１５】
同様に、「防漏体の表面」とは、防漏体が露出している場合は、その表面を意味し、防漏体がサーフェスシート（トップシート）、コアラップシート等で被覆されている場合は、被覆しているサーフェスシート（トップシート）、コアラップシート等の表面を意味する。
【００１６】
図１は本発明の吸収体物品の代表的な実施形態の構成を例示したものである。図１（Ａ）はテープタイプオムツを、前後、左右に伸展した、緊張状態にあるオムツの模式的に図示した展開平面図である。図１（Ｂ）は図１（Ａ）の股下部Ｃに相当するＩＢ−ＩＢ部位を緊張状態で示す横端面図である。図１（Ｃ）は図１（Ａ）の股下部Ｃに相当する図１（Ｂ）と同じＩＢ−ＩＢ部位を示すものであるが、図１（Ｂ）の緊張を緩和して、下側に凸型の３次元構造になった時の状態を示す横端面図である。以下の説明は吸収体物品の主要部について行い、その他の構成部は後述する具体例において説明を行う。本実施形態及び後述する各実施形態の説明で表現されている股下部とは、クロッチ部とも表現される部位を意味し、男性の場合は陰茎から肛門を被覆する部位、女性の場合は陰唇から肛門を被覆する部位を意味する。
【００１７】
図１の吸収体物品１００は、吸収体物品本体とスキンコンタクトシート（ＳＣＳ）とを具備する。吸収体物品本体は、体液の漏れを防ぐシート状の防漏体１０と、防漏体１０の上部に少なくとも１層配置された体液を吸収しうる吸収体１１とを有する。スキンコンタクトシート（ＳＣＳ）１７は、吸収体１１の上部に、吸収体物品本体の長さ方向の前端部から、前身頃、股下部及び後身頃を経て後端部にわたって配置される。
【００１８】
ＳＣＳ１７は、左右端部の伸縮性側縁部１５と、左右端部の伸縮性側縁部１５に接合された本体シート部１６とを有し、ＳＣＳ１７の前端部と後端部が吸収体物品本体の前端部近傍及び後端部近傍にそれぞれ接合される。本体シート部１６は左右端部の伸縮性側縁部１５に隣接する液不透過性部分１６Ｂと、液不透過性部分間の液透過性部分１６Ａとから構成され、前端接合部１８と後端接合部１９では伸縮性側縁部１５と本体シート部１６は一体的に接合され、股下部を含む領域で本体シート部１６が伸縮性側縁部１５から吸収体表面に向かって全体が伸びきり、垂れ下がるように構成される。液透過性部分１６Ａと液不透過性部分１６Ｂとは接合部２２で接合されている。股下部を含む領域で、本体シート部１６の液透過性部分の一部と、吸収体表面の一部とが、相互に接合する吸収体接合部１３を持ち、股下部を含む領域に、左右方向の断面形状が、ＳＣＳ１７の左右縁部からなる上部開口と本体シート部１６からなる左右側面と底面を有する下側に凸型の立体構造を具備する。吸収体接合部１３はここでは、連続した線状又は帯状に設けられているが、不連続に複数個線状又は帯状に設けてもよい。吸収体接合部１３は、ホットメルト接着剤、熱融着等で本体シート部１６の液透過性部分の一部と、吸収体表面の一部を接合する部分である。
【００１９】
吸収体接合部１３の長さは、好ましくはＳＣＳの長さの５％〜６０％、更に好ましくは１０％〜４０％の範囲である。吸収体接合部１３の幅は、好ましくは、線状に設けた場合は０．５〜２ｍｍ、帯状に設けた場合は２ｍｍ〜２ｃｍ以下である。本実施形態では、吸収体接合部１３は、股下部Ｃを含み、前身頃Ｆ及び後身頃Ｒに延びるように形成されているが、吸収体接合部１３は、後身頃Ｒに延在させずに股下部Ｃから前身頃Ｆに延在するように形成してもよく、又は、前身頃Ｆに延在させずに、股下部から後身頃Ｒに延在するように形成されてもよい。また、吸収体接合部１３は股下部Ｃ内で、股下部Ｃと同じ長さ又は股下部Ｃの長さよりも短くなるように配置されてもよい。後述する各実施形態では、吸収体接合部は股下部Ｃ内で、股下部Ｃと同じ長さ又は股下部Ｃの長さよりも短くなるように配置された例を示しているが、吸収体接合部の配置及び長さは本実施形態と同様に設定してよい。吸収体接合部１３は、股下部ＣでＳＣＳをその限界まで拡幅し伸びきった状態にするため、引っ張る力を股下部に集中させるように股下部Ｃに集中的に存在させた方がよい。
【００２０】
本実施形態用いられる防漏体１０の材質は、一般に、バックシートとして使用されているものを用いることが出来る。具体的には、例えば、ＰＥ、ＰＰ、ＰＥＴ、ＥＶＡ、等の樹脂フィルム；ＰＥ、ＰＰ、ＰＥＴ、ＥＶＡ、等の樹脂の発泡シート等の体液不透過性シートを用いることが出来る。体液不透過性シートは通気性フィルム等の通気性を有するものも好適に用いられる。
【００２１】
また防漏体１０に樹脂フィルムを用いる場合に感触や外観を向上するために、フィルムと不織布との複層シートとして用いることも出来る。この場合、不織布としては比較的低目付のＳＢ、ＳＭＳ、スポットボンド不織布等が好適に用いられる。
【００２２】
また防漏体１０は耐水性処理を施した高耐水性不織布を用いることも出来る。また防漏体１０は樹脂フィルムや高耐水性不織布と後述するシート状吸収体との複層シートを用いることも出来る。
【００２３】
防漏体１０は複数の部材から構成されていても良い。防漏体１０はシート状であればその形状を特に限定されない。
【００２４】
本実施形態に用いられる吸収体１１は、体液を吸収しうるものであれば特に限定されず、従来公知の吸収体物品に用いられる吸収体を用いることが出来る。例えば、フラッフ状の木材パルプ、ＳＡＰ等の粉状やフレーク状の吸収体、シート状吸収体を用いることが出来る。
【００２５】
シート状吸収体は、形態安定性、パルプやＳＡＰの脱落防止等の可能性に優れる。シート状吸収体の中でもＳＡＰを５０質量％以上、好ましくは６０質量％以上含有する高吸収性シートであるのが好ましい。また高吸収性シートにおけるＳＡＰの含有量は、体液拡散性等を配慮すると９５質量％以下であるのが望ましい。
【００２６】
高吸収性シートはＳＡＰの含有量が極めて高いため、厚さが極めて薄い。高吸収性シートの厚さは１．５ｍｍであるのが好ましく、１ｍｍ以下であるのがより望ましい。
【００２７】
高吸収性シートはＳＡＰを主成分とするシート状吸収体であれば、構成や製造方法を特に限定されない。例えば粉砕した木材パルプとＳＡＰを気流混合し、結合剤を添加してシート状に成形するエアーレイド法で得られる高吸収性シートが挙げられる。またＳＡＰの分散スラリーを不織布等のシート上にコーティングする方法で得られる高吸収性シートも挙られる。
【００２８】
そのほかに、例えば、嵩高の起毛状不織布の基材繊維間にＳＡＰを大量に担持させ、そのＳＡＰをホットメルト等の結合剤で固定する方法で得られる高吸収性シート、繊維状のＳＡＰを化学繊維や合成繊維と混合してウエッブ状に成形する方法で得られる高吸収性シート、ＳＡＰ層の上下を不織布で挟んで被覆する方法で得られる高吸収性シートが挙げられる。
【００２９】
吸収体１１は防漏体１０の上部に、少なくとも１層配置される。すなわち吸収体１１は、１層であっても良く、２層以上（複数層）であっても良い。
【００３０】
また吸収体１１は、折り畳んだ状態で配置することも出来る。
【００３１】
なお、本実施形態においては、吸収体とＳＣＳとの接合は、吸収体が露出している構造であればその吸収体の上側の表面とＳＣＳとの接合であり、吸収体の表面に接合されたアクイジション層やサーフェスシートが存在していれば、そのアクイジション層やサーフェスシートの上側の表面とＳＣＳとの接合を意味する。
【００３２】
本実施形態のＳＣＳは伸縮性側縁部１５と両側縁部に接合された本体シート部１６とを有する。
【００３３】
伸縮性側縁部１５はＳＣＳの左右端部に存在し、着用時に、着用者の肌に常時接触状態を保つ役割を果たす。
【００３４】
まず図２と図３により本実施形態の吸収体物品のＳＣＳについて説明する。図２にはＳＣＳの基本コンセプトの横端面を模式的に図示し、図３はＳＣＳの具体化例を、図３（Ａ）では平面模式図で、図３（Ｂ）では横断面模式図で示した。図２、図３のいずれも緊張下で、拡幅・伸長した状態の模式図である。図２及び図３において、左に配置される伸縮性側縁部１５を伸縮性側縁部１５Ｌ、右に配置される伸縮性側縁部１５を伸縮性側縁部１５Ｒとし、左に配置される液不透過性部分１６を液不透過性部分１６ＢＬ、右に配置される液不透過性部分１６を液不透過性部分１６ＢＲとする。
【００３５】
本実施形態のＳＣＳは左右に設けられた伸縮性側縁部１５Ｌ， １５Ｒと、左右の伸縮性側縁部１５Ｌ， １５Ｒに接合された本体シート部１６とから構成され、更に本体シート部１６は左右の伸縮性側縁部１５Ｌ， １５Ｒに隣接する液不透過性部分１６ＢＬ， １６ＢＲと、液不透過性部分間に位置する液透過性部分１６Ａとから構成されている。
【００３６】
伸縮性側縁部１５Ｌ， １５Ｒは、構成する伸縮体１５Ａは疎水性材料を通常は使用し、また疎水性の不織布でその伸縮体１５Ａを被覆する場合が多く、液不透過性となっている。
図３（Ａ）はＳＣＳの構造を示す平面模式図である。ＳＣＳは前身頃から後身頃にわたって配置された３本の弾性糸をＰＥ／ＰＰ製のＳＢ不織布で被覆した伸縮性側縁部と本体シート部とから構成されている。ＳＣＳの全幅Ｗ０は、左の液不透過性部分１６ＢＬ及び左の伸縮性側縁部１５Ｌと、右の液不透過性部分１６ＢＲ及び伸縮性側縁部１５Ｒとの合計の幅２×Ｗ１と、左右の液不透過性部分１６ＢＬ， １６ＢＲの間に設けられた本体シート部の液透過性部分１６Ａの幅Ｗ２とからなる。幅Ｗ１は液不透過性部分と伸縮性側縁部の幅である。左右の伸縮性側縁部と左右の本体シート部の液不透過性部分はともにＰＥ／ＰＰ製のＳＢ不織布から構成され、本体シート部の液透過性部分はＰＥ／ＰＰ製のＳＢ不織布の表面に親水化処理を施すことで形成される。
【００３７】
図３（Ｂ）のIIIＢ−IIIＢ横断面模式図を用いてより詳しく説明する。ＳＣＳの左側の液不透過性部分と伸縮性側縁部の幅Ｗ１は伸縮性側縁部の左端から、液透過性部分の左端までの幅である。右側の液不透過性部分と伸縮性側縁部の幅Ｗ１は伸縮性側縁部の右端から、液透過性部分の右端までの幅である。液透過性部分の幅Ｗ２は左側の液不透過性部分の右端から右側の液不透過性部分の左端までの幅である。ここでＷ０＝１００％としたとき、大略Ｗ１＝２０〜４０％（左右合計で４０〜８０％）、Ｗ２＝２０〜６０％の範囲に設定される。なお後述する、折り畳まれて、多層化するサイド部を構成する材料の大部分は本体シート部の液不透過性部分と伸縮性側縁部から構成される。
【００３８】
伸縮性側縁部１５は伸縮性部材とその基材（被覆材ともいう）から構成され、伸縮性部材は伸縮弾性を有するもので、着用時に引き伸ばされ、着用者の肌に密着状態で当接する性質をもつものが選択される。例えば弾性フィルム、弾性糸、弾性ネット、弾性フォーム及びそれらの複合体である。弾性フィルムとは例えば天然ゴム、合成ゴム、ポリウレタン等で、相対的に薄い１０〜５０μｍ相当のフィルムをテープ状、帯状にスリット加工したものであり、これらを約１．２倍（２０％）〜３．０倍（２００％）の範囲で伸張し、緊張状態でそのまま使用するか、薄い不織布に接合、被覆して使用するものである。緊張を緩和すると収縮し短くなる。弾性糸とは例えば天然ゴム糸、合成ゴム糸、ポリウレタンフィラメント、あるいは前記弾性フィルムを細分化して糸状とした材料であり、これらを約１．４倍（４０％）〜４．０倍（３００％）の範囲で伸張し、緊張状態で薄い不織布の基材上に少なくとも２本以上、好ましくは３本〜１０本並列に並べて、粘着剤等で接合、固定して使用するものである。緊張を緩和すると収縮し短くなる。弾性ネットとは例えば、弾性糸を編成したネット、弾性フィルムをスプリットヤーン化によりネット状に成形したもの等で、フィルムと同様に使用される。弾性フォームとは例えば、ＰＥ樹脂フォーム、ＰＰ樹脂フォーム、ＥＶＡフォーム、ポリウレタンフォーム等の嵩高で、伸縮性を有する大略１ｍｍ〜１０ｍｍの厚みのシートを、帯状、テープ状に加工したもので、これらを約１．１倍（１０％）〜２．０倍（１００％）の範囲で伸張し、緊張状態でそのまま使用するか、薄い不織布に接合、被覆して使用するものである。緊張を緩和すると収縮し短くなる。弾性フォームは低伸長状態であっても、高いクッション性が生かされ、着用者の肌に密着状態で当接する。
【００３９】
本体シート部は左右の伸縮性側縁部に隣接する液不透過性部分と液不透過性部分間に位置する液透過性部分とから構成されているので、それぞれについて説明する。
【００４０】
液不透過性部分を構成する材料としては、液不透過性で薄くて、柔軟なシートであれば特に限定されないが、たとえば次の５グループである、（１）ＰＥ、ＰＰ、ＰＥＴ、ポリウレタン、ＥＶＡ等の合成樹脂フィルム類、（２）天然ゴム、合成ゴムの薄層化シート、（３）ＰＥ樹脂フォーム、ＰＰ樹脂フォーム、ＥＶＡフォーム、ポリウレタンフォーム等のフォームを薄層化したシート、（４）ＰＥ繊維、ＰＰ繊維、ＲＥＴ繊維、ＰＥ／ＰＰ複合繊維、ＰＥ／ＰＥＴ複合繊維等の合成繊維を構成成分とする乾式不織布、湿式不織布、スパンボンド不織布やスパンボンド／メルトブローン／スパンボンド積層体に代表されるスパンメルト不織布、等の疎水性の不織布、（５）前記不織類と前記フィルム類の複合シート、等が好適にあげられる。
【００４１】
液透過性部分を構成する材料としては、液透過性で薄くて、柔軟なシートであれば特に限定されないが、たとえば次の４グループである、（１）木材パルプ、コットン、レーヨン、リヨセル等のセルロース繊維類を構成成分とする親水性の乾式不織布、湿式不織布、（２）ＰＥ繊維、ＰＰ繊維、ＲＥＴ繊維、ＰＥ／ＰＰ複合繊維、ＰＥ／ＰＥＴ複合繊維等の合成繊維を構成成分とする乾式不織布、湿式不織布、スパンボンド不織布やスパンボンド／メルトブローン／スパンボンド積層体に代表されるスパンメルト不織布、等の不織布の表面を親水化処理により透水性を賦与した不織布、（３）合成樹脂フィルムに開孔を設けて液透過性を賦与したシート、（４）合成樹脂製のネットに液透過性を賦与したシート等が好適にあげられる。
【００４２】
以下、図１を用いて、吸収体物品の具体例である、子供用のテープタイプオムツでＭサイズの例について説明する。図１（Ａ）のオムツ１００はシート状の防漏体１０（この例では１５μｍの通気性ＰＥフィルムに１３ｇ／ｍ２のＰＰ製ＳＭＳ不織布を積層したものを使用）上に砂時計型に成形された吸収体１１（この例ではＳＡＰ／パルプの混合マットでＳＡＰ８ｇ、パルプ１２ｇを含み、１５ｇ／ｍ２のティシュペーパーで被覆したものを使用）を配置し、吸収体１１の上面とその前後、左右側をサーフェスシート１２（この例では親水化した２０ｇ／ｍ２のＰＥ／ＰＥＴ繊維製のエアースルー不織布を使用）で被覆した吸収体物品本体を持ち、その上方にスキンコンタクトシート（ＳＣＳ）１７を配したものである。ＳＣＳ１７は伸縮性側縁部１５と本体シート部１６を持ち、前身頃Ｆから股下部Ｃを経て後身頃Ｒにわたって配置され、吸収体物品本体と前端接合部１８、後端接合部１９及び吸収体接合部１３の３ヶ所で接合されている。吸収体１１の外側にはアウターレッグギャザー（ＯＬＧ）１４が設けられている。ＯＬＤ１４は、体液の吸収体物品の横からの漏れ（サイド漏れ）を防止するもので、サーフェスシートと防漏体とで伸縮性材料（伸縮体）を両面から挟んで設けられ、通常はフラットであるが、場合によっては内側に折り返されて、立ち上がる形状にして使用される。ＯＬＧ１４は股下部のみに配置されてもよい。
【００４３】
このＳＣＳ１７の伸縮性側縁部１５と液不透過性部分１６Ｂ（図３で説明したＷ１部分）は本体シート部１６上に折り畳まれて３層になったサイド部を形成し、液透過性部分である中央部（図３で説明したＷ２部分）は１層からなるセンター部を形成している。このＳＣＳ１７の存在状態については図１（Ｂ）、図１（Ｃ）でより詳しく説明する。吸収体物品本体とＳＣＳ１７は前端接合部１８、後端接合部１９では左端から右端にわたる全幅でシールされサイド部は３層の折り畳み状態が拡幅できないように接合・固定されている。吸収体接合部１３は股下部Ｃを含む領域に、センター部の中央部に１層の液透過性部分と吸収体表面とが接合された前後に伸びる帯状の接合部位として存在する。
【００４４】
伸縮性側縁部１５は３本の弾性糸を不織布で被覆したもの（この例で６００ｄｔｅｘのポリウレタンフィラメントを２．０倍に伸長し、３本のフィラメントを４ｍｍ間隔に置いて並列で配置し、本体シート部１６の液不透過性部分と同じ不織布に粘着剤で接合・被覆したものを使用）で本体シート部１６上に折り畳まれて構成されている。
【００４５】
本体シート部１６は左右の液不透過性不織布１６Ｂ（この例では目付１５ｇ／ｍ２の液不透過性のＰＰ製ＳＭＳ不織布を使用）部分と、それらに挟まれた中央部の液透過性不織布１６Ａ（この例では表面親水化処理した目付２０ｇ／ｍ２のＰＥ／ＰＰ製スパンボンド不織布を使用）部分から構成されている。本体シート部１６には前身頃部位にスリット状の体液の移行出口（スリット）２０が設けられていて、本体シート部１６に受容された体液（尿）が吸収体１１表面にスムースに移行し、本体シート部１６の前端からオーバフローするのを防止する。移行出口２０は後身頃部位に設けてもよく、前身頃部位及び後身頃部位の両方に設けてもよい。着脱材２１は後身頃の側部に設けられ、着用時に前身頃と着脱可能に取り付けられる。
【００４６】
図１（Ｂ）は図１（Ａ）のＩＢ−ＩＢ横端面模式図であり、股下部Ｃの状態を、緊張状態を図示したものである。ＳＣＳは図示するように、伸縮性側縁部１５とそれに隣接する本体シート部１６の液不透過性部分１６Ｂが折り畳まれ、その縁部で本体シート部１６の液透過性部分１６Ａの縁部と接合されて３重になった部位（サイド部）と、中央部を形成する液透過性の１層の部位（センター部）から形成されている。センター部の幅方向の中央部位で本体シート部１６は吸収体表面（サーフェスシート表面）と吸収体接合部１３で接合している。折り畳まれて３重となったサイド部は、前端部及び後端部では折り畳まれたままの状態で上下に接合され、吸収体物品本体と接合されて拡幅できないようになっている。そのため前端部及び後端部近傍では、ＳＣＳの横幅は短くなり、しかも吸収体物品本体と接合しているため、この部位では幅方向のほぼ全面が肌に接触する状態になる。一方股下部Ｃでは吸収体接合部１３により本体シート部１６が引っ張られることにより、サイド部の３層の“折り畳まり”はほどけて、伸び切り、幅が広がり、本体シート部全体が１層の状態になりＳＣＳの横幅は最長となる。前身頃Ｆ及び後身頃Ｒでは「折り畳み状態」と「ほどけて伸びた状態」が共存する状態で、着用者の動きや体位によって伸びたり、折り畳まれたりする。
【００４７】
図１（Ｃ）は図１（Ｂ）の緊張状態を解除し、緩和し立体化した股下部Ｃの状態を図示したものである。股下部Ｃでは緊張状態で３重に折り畳まれていたサイド部の液不透過性部分１６Ｂは伸びて、本体シート部１６全体が１層となって幅が広がり、液不透過性部分１６Ｂと液透過性部分１６Ａからなる本体シート部１６は伸縮性側縁部１５から垂下して、下に凸の、深さあるＵ字型谷状の立体形状を呈するようになる。
【００４８】
体液の排出器が存在する股下部Ｃに、このような大きな空間容積を持つ、下に凸になる立体構造を集中、配置することにより、排出器より排出された体液を全量このＳＣＳ内に収容することが出来る。本実施形態の吸収体物品は従来の吸収体物品のように体液を吸収体表面に直接排出する構造ではなく、一時的に排出器から排出される体液の全量がＳＣＳを経由することになるため、ＳＣＳが経時的に排出量を均一化するバッファー効果を発揮すると同時に、体液の収容と分配機能の発揮により吸収体の利用効率を改善することが出来、これらの機能により股下部からの漏れの発生を大幅に減少することが出来る。更に深さのあるＵ字型谷状の立体構造の存在により、着用者の肌面と吸収体表面とが隔離され、体液との接触が効果的に回避されるため蒸れ、かぶれの発生も予防される。
【００４９】
図４はＳＣＳの液不透過性部分と液透過性部分の存在状態を説明する左右の断面模式図である。本図では説明を分かり易くするためＳＣＳを全体に広げた状態で図示している。図４（Ａ）〜図４（Ｃ）はその代表的な例を示す。
図４（Ａ）は本体シート部と伸縮性側縁部の被覆材が一枚の疎水性シート（この例ではＰＰ製のＳＭＭＳ不織布１５ｇ／ｍ２を使用）から構成されている例である。左右の液不透過性部分と伸縮性側縁部（幅Ｗ１は６０ｍｍ、左右合計で１２０ｍｍ）はＳＭＭＳをそのままの状態で使用し、中央の液透過性部分１６Ａ（幅Ｗ２は７０ｍｍ）はＳＭＭＳをノニオン系界面活性剤で親水化処理し液透過性を賦与している。液不透過性部分の占める割合（幅は２×Ｗ１）は６３％であり、液透過性部分の割合は３７％であった。中央の液透過性部分（幅Ｗ２）はこの例では全面が均一に親水化処理されているが、ゼブラ（縞馬）状に親水化部分と疎水性部分を共存させても良い。
図４（Ｂ）は本体シート部が２種類の疎水性シートから構成されている例である。すなわち１種類の疎水性シート（この例ではＰＰ製のＳＭＭＳ不織布１５ｇ／ｍ２を使用）により左右の伸縮性側縁部の被覆材とその延長部として本体シート部の液不透過性部分の一部１６Ｂ１が構成され、別の疎水性シート（この例ではＰＥ／ＰＰ製のスパンボンド不織布１５ｇ／ｍ２を使用）により中央の液透過性部分１６Ａと左右の液不透過性部分の一部１６Ｂ２が構成されている。２種類の不織布は互いにその縁部をホットメルト接着剤で接合されて、液不透過性部分の一部１６Ｂ１と液不透過性部分の一部１６Ｂ２とが接合されることになる。伸縮性側縁部と、接合された液不透過性部分との合計の幅Ｗ１は７０ｍｍ）であり、中央の液透過性部分の幅Ｗ２は５０ｍｍである。中央の液透過性部分（幅Ｗ２は５０ｍｍ）は前記スパンボンド不織布をノニオン系界面活性剤で親水化処理し液透過性を賦与している。左右の液不透過性部分の占める割合（２×Ｗ１）は７４％であり、液透過性部分の割合は２６％であった。
図４（Ｃ）は本体シート部が疎水性と親水性の２種類のシートから構成されている別の例である。すなわち１種類の疎水性シート（この例ではＰＰ製のＳＭＭＳ不織布１５ｇ／ｍ２を使用）により左右の伸縮性側縁部の被覆材とその延長部として本体シート部の液不透過性部分１６Ｂとが構成され、別の親水性シート（この例ではコットン製のスパンレース不織布２５ｇ／ｍ２を使用）により中央部の液透過性部分１６Ａが構成されている。２種類の不織布は互いにその縁部をホットメルト接着剤で接合されて、左右の伸縮性側縁部と左右の液不透過性部分（幅Ｗ１は７５ｍｍ）と中央の液透過性部分（幅Ｗ２は８０ｍｍ）が構成されている。左右の伸縮性側縁部と左右の液不透過性部分の占める割合（２×Ｗ１）は６６％であり、液透過性部分の割合は３４％であった。
【００５０】
図５はＳＣＳのサイド部の多層化状態を示すもので、左右方向の横断面模式図である。図５（Ａ）〜図５（Ｆ）に代表的な実施態様例を示す。図５（Ａ）及び図５（Ｂ）はいずれもＳＣＳの伸縮性縁部とそれに連なる本体シート部の液不透過性部分１６Ｂが内側に折り返され、本体シート部上に重ねられ、２層化してサイド部（イ）が形成される。中央部分は１層のセンター部（ロ）として存在する例である。図５（Ａ）及び図５（Ｂ）は伸縮性側縁部１５が内向きになるように折り返され２層化している点で基本的に同じであるが、ＳＣＳの構成するシート材料が異なる。図５（Ａ）ではＳＣＳが図４（Ａ）の構成を持つ一枚の疎水性シートを使用し、液不透過性部分１６Ｂで折り返されているのに対して、図５（Ｂ）ではＳＣＳが図４（Ｃ）の構成を持つ疎水性シートと親水性シートの２枚のシートが使用され、液不透過性部分１６Ｂが液透過性部分１６Ａに重ねられ左右縁部で接合部２２によりそれぞれ接合されて２層化したサイド部を形成している点で異なる。図５（Ａ）においては、サイド部分の液不透過性部分１６Ｂの２層の上層が第１の部分、第１の部分の下に配置され、第１の部分と重なる下層が第２の部分となる。図５（Ｂ）においては、サイド部分の上層の液不透過性部分１６Ｂが第１の部分、第１の部分の下に配置され、第１の部分と重なる液透過性部分１６Ａが第２の部分となる。
【００５１】
図５（Ｃ）、図５（Ｄ）はいずれもＳＣＳが３層化したサイド部をもつ例である。図５（Ｃ）はＳＣＳ全体が図４（Ａ）の構成を持つ一枚の疎水性シートを使用している点では図５（Ａ）と同じであるが、左右の、液不透過性部分１６Ｂが内側に向かって（伸縮性側縁部が内向きになるように）折り返され、更に伸縮性側縁部１５とその延長部分の液不透過性部分１６Ｂが外側に向かって（伸縮性側縁部が外向きになるように）２重に折り返され、３層化したサイド部を形成している。この例では伸縮性側縁部１５の端部が左右端よりまだ内側に存在しているため、ＳＣＳの左右端に２層化部分（イ）が残り、３層化部分（ロ）からなるサイド部と１層部分（ハ）のセンター部の３部構成となっている。
【００５２】
図５（Ｄ）のＳＣＳは図４（Ｃ）の構成を持つ疎水性シートと親水性シートの２枚のシートを使用している点では図５（Ｂ）と同じであるが、液不透過性部分１６Ｂを伸縮性側縁部１５が外向きになるように液不透過性部分１６Ｂを折り畳み、液不透過性部分１６Ｂの左右端と液透過性部分１６Ａの左右端とを接合部２２で接合し、３層化したサイド部を形成している。この例では伸縮性側縁部１５の端部が左右端まで来ているため、３層化部分（イ）からなるサイド部と１層部分（ロ）のセンター部の２部構成となっている。図５（Ｃ）においては、サイド部分の液不透過性部分１６Ｂの３層の上層が第１の部分、第１の部分の下に配置され、第１の部分と重なる中間層が第２の部分、第２の部分の下に配置され、第２の部分と重なる下層が第３の部分となる。図５（Ｄ）においては、サイド部分の３層のうちの上層の液不透過性部分１６Ｂが第１の部分、第１の部分の下に配置され、第１の部分と重なる中間層の液不透過性部分１６Ｂが第２の部分、第２の部分の下に配置され、第２の部分と重なる下層の液透過性部分１６Ａが第３の部分となる。
【００５３】
図５（Ｅ）、図５（Ｆ）はいずれもＳＣＳが４層化したサイド部をもつ例である。図５（Ｅ）はＳＣＳ全体が図４（Ａ）の構成を持つ一枚の疎水性シートを使用している点では図５（Ｃ）と同じであるが、左右の、液不透過性部分１６Ｂが伸縮性側縁部１５の端部が内向き、外向き、内向きになるように３回折り畳まれ、図示するように４層化したサイド部を形成している。このＳＣＳの例では折り畳まれた左右端がそろっているため、４層化部分（イ）からなるサイド部と１層部分（ロ）のセンター部の２部分構成となっている。図５（Ｆ）のＳＣＳは図４（Ｃ）の構成を持つ疎水性シートと親水性シートの２枚のシートを使用している点では図５（Ｄ）と同じであるが、液透過性部分１６Ａの左右側部を内側に折り返し、２層としたサイド部を形成する。そのサイド部に重なるように、更に液不透過性部分１６Ｂを伸縮性側縁部１５が内向きになるように折り畳み、液不透過性部分１６Ｂの左右端と液透過性部分１６Ａの左右端とを図示するように接合一体化する。このようにして液透過性部分１６Ａからなる２層化部分（イ）と液透過性部分１６Ａと液不透過性部分１６Ｂが重なった４層部分（ロ）からなるサイド部と液透過性部分１６Ａの１層部分（ハ）からなるセンター部の３部分構成となっている。図５では４層化する例を示したが、多層化は５層以上になっても良く、２層、３層、４層部分がそれぞれ組み合わされて、図５（Ｃ）、図５（Ｆ）で例示したような、共存状態になっていても良い。図５（Ｅ）においては、サイド部分の液不透過性部分１６Ｂの４層の最上層が第１の部分、第１の部分の下に配置され、第１の部分と重なる下層が第２の部分、第２の部分の下に配置され、第２の部分と重なる下層が第３の部分、第３の部分の下に配置され、第３の部分と重なる最下層が第４の部分となる。図５（Ｆ）においては、サイド部分の４層のうちの最上層の液不透過性部分１６Ｂが第１の部分、第１の部分の下に配置され、第１の部分と重なる下層の液不透過性部分１６Ｂが第２の部分、第２の部分の下に配置され、第２の部分と重なる下層の液透過性部分１６Ａが第３の部分、第３の部分の下に配置され、第３の部分と重なる最下層の液透過性部分１６Ａが第４の部分となる。
【００５４】
このようなサイド部の多層化はＳＣＳをその前後方向の存在部位すなわち前身頃Ｆ、股下部Ｃ、そして後身頃Ｒの各部位によって左右横幅や、下に凸型になる立体化の度合、を着用者の月令や性別に応じて調製・適正化するためのものである。その効果について更に実施例において詳しく説明する。
【００５５】
図６及び図７はそれぞれ異なった多層化状態のサイド部を備えるＳＣＳを有する本発明の吸収体物品の他の実施形態を示す図である。図６及び図７において図１と同一構成部材については同一符号を付して詳細な説明を省略する。図８〜図１０に示す実施形態においても同様に図１と同一構成部材については同一符号を付して詳細な説明を省略する。図６及び図７に示す実施形態では、吸収体１１上に図１で示したサーフェスシート１２が設けられていないが、吸収体１１上にサーフェスシート１２を設けてもよい。
【００５６】
図６（Ａ）はＳＣＳを前後、左右に伸展して緊張状態にあるＳＣＳを模式的に図示した展開平面図である。図３の基本構造とおなじ要素を備えているが、サイド部が多層化している状態と、吸収体接合部の存在状態が異なる。図６（Ａ）に示す吸収体接合部１３Ａは図１の吸収体接合部１３よりも長さが短く、幅が広く帯状になっている。吸収体接合部１３Ａは股下部Ｃ内に配置され、その長さは股下部Ｃの長さよりも短くなっている。
【００５７】
図６（Ａ）のＳＣＳは図４（Ｃ）と同じ２枚のシートから構成され図５（Ａ）と同じ方法で液不透過性部分１６Ｂを内側に折り返して、２重になるサイド部を構成している。図６（Ｂ）は、図６（Ａ）の前端部のVIＢ−VIＢ部位の横端面図で、緊張を緩和し、弛緩した状態を示す。２重となったサイド部が上下に接合され、更に吸収体１１の表面とも接合し、拡幅できないように固定されており、センター部は全体が伸び切った状態で、その全体が吸収体表面に接触している。図６（Ｃ）は、図６（Ａ）の前身頃ＦのVIＣ−VIＣ部位の横端面図で、緊張を緩和し、サイド部が一部ほどけた時の状態を示す。センター部は少したるんでいる状態になっていて、吸収体１１の表面とは接触せず、全体に浮き上がった状態になっている。図６（Ｄ）は、図６（Ａ）の股下部ＣのVIＤ−VIＤ部位の横端面図で、緊張を弛緩させた状態を示す。この部位ではサイド部の全体がほどけ拡幅されていて、更にセンター部と吸収体表面とが帯状の吸収体接合部１３Ａで接合されている。本体シート部１６全体が吸収体接合部１３Ａで引っ張られ、伸び切った状態になり、伸縮性側縁部１５Ｌ， １５Ｒから谷型に垂れ下がり、下側に凸型になる立体構造を形成する。
【００５８】
図７（Ａ）は本実施形態のＳＣＳを前後、左右に伸展して緊張状態にあるＳＣＳを模式的に図示した展開平面図である。図３の基本構造とおなじ要素を備えているが、サイド部が多層化している状態と、吸収体接合部の存在状態が異なる。図７（Ａ）に示す吸収体接合部１３Ａは図１の吸収体接合部１３よりも長さが短くなっており、吸収体接合部１３Ａは股下部Ｃ内に配置され、その長さは股下部Ｃの長さよりも短くなっている。本例のＳＣＳは図４（Ａ）と同じ１枚のシートで構成され、図５（Ｃ）とほぼ同じ方法で、液不透過性部分を２回折り畳み、３重化したサイド部を構成している。図７（Ｂ）は、図７（Ａ）の前端部のVIIＢ−VIIＢ部位の横端面図で、緊張を緩和し、弛緩した状態を示す。３重となったサイド部が上下に接合され、更に吸収体表面とも接合し、拡幅できないように固定されており、センター部は全体が伸び切った状態で、その全体が吸収体表面に接触している。なお図７（Ｂ）に示すように、前端の側縁部は伸縮体が存在しない状態となっている。図７（Ｃ）は、図７（Ａ）の前身頃ＦのVIIＣ−VIIＣ部位の横端面図で、緊張を緩和し、サイド部が一部ほどけた時の状態を示す。センター部は少したるんでいる状態になっていて、吸収体１１の表面とは接触せず、全体に浮き上がった状態になっている。図７（Ｄ）は、図７（Ａ）の股下部ＣのVIIＤ−VIIＤ部位の横端面図で、緊張を弛緩させた状態を示す。この部位ではサイド部の全体がほどけていて、更にセンター部と吸収体表面とが線状の吸収体接合部１３Ａで接合されている。本体シート部１６全体が吸収体接合部１３Ａで引っ張られ、伸び切った状態になり、伸縮性側縁部１５Ｌ， １５Ｒから谷型に垂れ下がり、下側に凸型になる立体構造を形成する。
【００５９】
図８はＳＣＳの本体シート部に形状保持材を接合した態様例である。形状保持材２３は股下部Ｃを含む領域で、本体シート部１６の一部に接合され、股下部Ｃとその近傍にかけて形成される下に凸型の立体構造をより安定化する役割を果たす。図８において図８（Ａ）、図８（Ｃ）、図８（Ｅ）、図８（Ｇ）、は緊張状態で図示した平面展開模式図であり、図８（Ｂ）、図８（Ｄ）、図８（Ｆ）、図８（Ｈ）、は緊張を緩和した状態で図示した横端面模式図である。なおいずれの図においても吸収体部分は点線で示している。
図８（Ａ）、図８（Ｂ）、の例では長方形をした形状保持材２３が、本体シート部１６の股下部Ｃ相当部位の内側に、線状の吸収体接合部１３Ａを隔てて左右対称に設けられている。使用されている長方形をした形状保持材２３は厚さ約１ｍｍのＰＰ製発泡シートであり、疎水性で液不透過性である。
【００６０】
形状保持材２３はＰＥ／ＰＰ製スパンボンド不織布からなる本体シート部１６の内側にホットメルト粘着剤により接合されている。長方形をした形状保持材２３は図８（Ｂ）の横端面図で示すように本体シート部１６に、本体シート部１６の親水化処理されている液透過性部分１６Ａをこえて、疎水性の液不透過性部分１６Ｂの一部を被覆する範囲で接合されている。この形状保持材２３の接合効果により、吸収体接合部１３Ａのある中央部を除いた股下部のほとんどの部分は液不透過性となるため、着用時に本体シート部に捕集された体液の大部分は股下部Ｃでは前後に移動するようになる。更にこの形状保持材２３の存在によって、股下部に形成された下に凸型の立体構造は、着用時に発生する左右上下の変形圧力に耐え、体重による押し潰しを受けた際にも体表面と吸収体表面との間に存在する空間を維持することが出来る。
【００６１】
図８（Ｃ）、図８（Ｄ）、の例では長方形をした形状保持材２３はその材質が図８（Ａ）、図８（Ｂ）、の例と同じであるが、本体シート部１６の外側に接合されている点が異なる。この例でも、長方形をした形状保持材２３は図８（Ｄ）の横端面模式図で示すように本体シート部１６に、本体シート部１６の親水化処理されている液透過性部分１６Ａをこえて、疎水性の液不透過性部分１６Ｂの一部を被覆する範囲で接合されている。この形状保持材２３の接合効果により、吸収体接合部１３Ａのある中央部を除いた股下部のほとんどの部分は液不透過性となるため、着用時に本体シート部１６に捕集された体液の大部分は股下部Ｃでは前後に移動するようになる。更にこの形状保持材２３の存在によって、股下部に形成された下に凸型の立体構造は、着用時に発生する左右上下の変形圧力に耐え、体重による押し潰しを受けた際にも体表面と吸収体表面との間に存在する空間を維持することが出来る。
【００６２】
図８（Ｅ）、図８（Ｆ）の例は形状保持材の形状も材質も図８（Ａ）〜図８（Ｄ）と異なる例である。使用される形状保持材１１Ａは前身頃Ｆから股下部Ｃを経て後身頃Ｒに至る、全長に配置された吸収体１１であるシート状吸収体を、股下部Ｃの前部と後部に側縁から中心に向かう、斜めスリット２４を設けて、吸収体接合部１３Ａのある中心部を残して台形状に切り欠いたものである。つまり、形状保持材１１Ａは吸収体１１の一部となる。台形状の形状保持材１１Ａが本体シート部１６の股下部Ｃ相当部位の外側に帯状に走る吸収体接合部１３Ｂを隔てて左右対称に設けられている。吸収体接合部１３Ｂの長さは図８（Ａ）−図８（Ｄ）に示す吸収体接合部１３Ａの長さよりも短く、股下部Ｃのみに形成されている。吸収体接合部１３Ｂの長さは股下部Ｃの長さより小さくてもよい。台形のシート状吸収体からなる形状保持材１１Ａは、図８（Ｆ）の横端面模式図で示すように、本体シート部１６の外側に左右側面から底面にわたって設けられ、本体シート部１６の親水化処理された液透過性部分１６Ａとは吸収体接合部１３Ｂで、疎水性の液不透過性部分１６Ｂとは左右の側面接合部２５で、と３ケ所で接合されている。着用時に本体シート部１６に捕集された体液の一部は本体シート部１６の液透過性部分１６Ａを通過し、形状保持材１１Ａであるシート状吸収体に吸収固定される。このシート状吸収体は比較的大量のＳＡＰを含有していて、吸収に応じて膨化するが、剛性を保ち続ける。この形状保持材１１Ａの存在によって、股下部に形成された下に凸型の立体構造は、着用時に発生する左右上下の変形圧力に耐え、体重による押し潰しを受けた際にも体表面と吸収体表面との間に存在する空間を維持することが出来る。
【００６３】
図８（Ｇ）、図８（Ｈ）、の例では形状保持材がシート状吸収体である点では図８（Ｅ）、図８（Ｆ）、の例と同じであるが、吸収体２６が縦長方形に前身頃Ｆから股下部Ｃを経て後身頃Ｒまで存在する主吸収体２８と、主吸収体２８に重ねられて股下部Ｃの左右幅を被覆するように配置されている補助吸収体２７からなり、その補助吸収体２７の部分を形状保持材として使用している点が異なる。主吸収体２８は吸収体１１と同一の材質からなる。補助吸収体２７からなる形状保持材は、図８（Ｈ）の横端面模式図で示すように、本体シート部１６の外側に左右側面から底面にわたって設けられ、本体シート部１６の親水化処理された液透過性部分１６Ａとは吸収体接合部１３Ｂで、疎水性の液不透過性部分１６Ｂとは左右の側面接合部２５で、と３ケ所で接合されている。着用時に本体シート部１６に捕集された体液の一部は本体シート部１６の液透過性部分１６Ａを通過し、形状保持材（補助吸収体２７）であるシート状吸収体に吸収固定される。このシート状吸収体は比較的大量のＳＡＰを含有していて、吸収に応じて膨化するが、剛性を保ち続ける。この形状保持材の存在によって、股下部に形成された下に凸型の立体構造は、着用時に発生する左右上下の変形圧力に耐え、体重による押し潰しを受けた際にも体表面と吸収体表面との間に存在する空間を維持することが出来る。形状保持材となる補助吸収体２７は主吸収体２８と同じ材質としても、異なる材質で構成してもよい。補助吸収体２７がＳＡＰを含む場合、補助吸収体２７の厚さを薄くするためにＳＡＰの含有量を主吸収体２８よりも少なくしてもよい。
【００６４】
図９はＳＣＳの本体シート部に形状保持材を接合した場合の本発明の吸収体物品の更に他の実施形態を示す図である。図９の吸収体物品１０１は基本的に体液の漏れを防ぐシート状の防漏体１０と防漏体１０の上部に少なくとも１層配置された体液を吸収しうる吸収体１１を有する吸収体物品本体と、前記吸収体１１の上部に、吸収体物品本体の長さ方向の前端部から、前身頃、股下部及び後身頃を経て後端部にわたって配置されるスキンコンタクトシート（ＳＣＳ）１７を具備する吸収体物品であって、ＳＣＳ１７が左右端部の伸縮性側縁部１５Ｌ， １５Ｒと前記左右端部の伸縮性側縁部１５Ｌ， １５Ｒに接合された本体シート部１６を有し、ＳＣＳ１７の前端部と後端部が吸収体物品本体の前端部近傍及び後端部近傍にそれぞれ接合され、本体シート部１６が伸縮性側縁部１５Ｌ， １５Ｒに隣接する液不透過性部分１６Ｂと中央部の液透過性部分１６Ａから構成され、股下部を含む領域で前記本体シート部１６が前記伸縮性側縁部から吸収体表面に向かって垂れ下がるように構成され、股下部を含む領域で、前記本体シート部１６の液透過性部分の一部と、吸収体表面の一部とが、相互に接合する吸収体接合部１３Ａを持ち、股下部を含む領域に、左右方向の断面形状が、ＳＣＳ１７の左右縁部からなる上部開口と本体シート部１６からなる左右側面と底面を有する下側に凸型の立体構造を具備する吸収体物品である。長方形をした形状保持材２３が、本体シート部１６の液透過性部分１６Ａに接合されている。
【００６５】
以下、図９を用いて、吸収体物品の具体例である、子供用のテープタイプオムツの例について説明する。図９は子供用のテープ型オムツであり、図１と同じ要素を持ち、同じ材料を使用しているが、ＳＣＳの構成状態、吸収体接合部の長さ、そして股下部Ｃに形状保持材２３が接合されている点が異なる。吸収体接合部１３Ａは股下部Ｃ内に配置され、その長さは股下部Ｃの長さよりも短くなっている。図９（Ａ）は本具体例のオムツを前後、左右に伸展して緊張状態で図示した展開平面模式図である。本例のＳＣＳは図５（Ｄ）と同形で、２枚のシートから構成され伸縮性側縁部１５Ｌ， １５Ｒとその延長部からなる液不透過性部分１６Ｂを折り畳み、その内縁の下面と、液透過性部分１６Ａの上面を接合し、内側に３層化した部分と外側に伸縮性側縁部を有するサイド部分と、１層であるセンター部分から構成されている。センター部分の股下相当部位に図８（Ｃ）、図８（Ｄ）と同じＰＰ製の発泡シートから構成され、角丸長方形の形状保持材が帯状の吸収体接合部１３Ａを隔てて、左右対称に配置されている。吸収体接合部１３Ａの長さは図１が２５０ｍｍであるが、図９では９０ｍｍと短くなっている。形状保持材２３が股下部の安定化に大きく寄与するので、吸収体接合部１３Ａの長さは股下部Ｃの長さより大きくなくてもよく、股下部Ｃの長さと同じ又はそれよりも短くても良い。図９（Ｂ）は、緊張状態で図示した図９（Ａ）のVIIIＢ−VIIIＢ横端面模式図である。角丸長方形の形状保持材２３が本体シート部１６の液透過性部分１６Ａに接合され、液不透過性部分１６Ｂに接続されていない点が図８（Ｃ）、図８（Ｄ）とは異なる。図９（Ｃ）も、図９（Ａ）のVIIIＢ−VIIIＢ横端面模式図であるが、緊張を解除した弛緩状態を図示した。股下部Ｃでは液不透過性の形状保持材２３の効果により吸収体接合部１３Ａの存在する中央部位を除き、股下部Ｃのほとんどの部分は液不透過性となるため、着用時に体液が排出されると本体シート部１６に捕集された体液の大部分は股下部Ｃで吸収されることなく前身頃Ｆ及び後身頃Ｒへと移動し、前身頃Ｆ及び後身頃Ｒにある本体シート部１６の液透過性部分１６Ａから吸収体表面に移送される。この形状保持材２３の存在によって、長時間にわたる使用や、多数回の体液の排出に際しても、股下部に形成された下に凸型の立体構造は、着用時に発生する左右上下の変形圧力に耐え、体重による押し潰しを受けた際にも体表面と吸収体表面との間に存在する空間を維持し、それにより排出体液の移動通路を常に確保すると同時に、着用者の肌と湿潤している吸収体表面との接触を回避することが出来る。
【００６６】
図９の実施形態の製品も、実際に着用すると、着用時には図１１（Ｂ）に示したような、股下部の防漏体が下に凸の状態を保ったまま着用される。
【００６７】
図１０を用いて、吸収体物品の具体例である、子供用のテープタイプオムツの他の例について説明する。図１０は子供用のテープ型オムツであり、図１と同じ要素を持ち、同じ材料を使用しているが、吸収体接合部の長さ、ＯＬＧの代わりにインナーレッグギャザー（ＩＬＧ）２９及びヒップラップギャザー（ＨＷＧ）３０が設けられている点が異なる。
【００６８】
図１０（Ａ）は、本具体例のオムツを前後左右に伸展して緊張状態で図示した展開平面模式図である。本例のＳＣＳは図１と同じであるが、吸収体接合部１３Ａは股下部Ｃ内に配置され、その長さは股下部Ｃの長さより短く帯状になっている。図１０（Ｂ）は、緊張状態で図示した図１０（Ａ）のＸＢ―ＸＢ横断面模式図であり、図１０（Ｃ）は図１０（Ｂ）の緊張を解除した弛緩状態を図示した。
【００６９】
図１０（Ａ）、（Ｂ）、（Ｃ）を比較すると分るように、インナーレッグギャザー（ＩＬＧ）２９は吸収体１１の左右両側に設けられ、伸縮性の頭部と不織布性の脚部を持ち、弛緩状態では立ち上がった形状を持つ。このＩＬＧ２９は、体液の吸収体物品の横方向の漏れ（サイド漏れ）を防止するもので、吸収体の上面、吸収体の側縁または吸収体の外側に設置される。ヒップラップギャザー（ＨＷＧ）３０は、図１０（Ａ）、（Ｂ）、（Ｃ）を比較すると分るように、後身頃部分の吸収体と防漏体に挟まれた位置から、腰部の両外側縁に伸びるように配置されている。ＨＷＧ３０は、文字通り着用時に着用者の臀部を包むように働き、吸収体物品の背面部を身体に密着させ、ずれ落ちの防止や隙間の発生を防止する。本発明の実施形態では、ＨＷＧとして３本のポリウレタンフィラメントを用いているが、より多数のフィラメントを配置してもよいし、伸縮性のフィルムやクッション性のある伸縮性の発泡体を使用してもよい。
【００７０】
図１１は、本発明の吸収体物品の一例としてパンツタイプのオムツを着用した時の外観の形状を、従来型のパンツタイプオムツと比較した説明図である。図１１（Ａ）、（Ｂ）には図８（Ｃ）、（Ｄ）に示した形状保持部材を用いた本発明の吸収体物品の一例のパンツタイプオムツの場合を、図１１（Ｃ）、（Ｄ）には従来型のパンツタイプオムツの場合を、いずれも股下部に着目し透視した状態を模式的に示したものである。
【００７１】
図１１（Ａ）は着用前の製品の状態を、図１１（Ｂ）は着用状態を示したものである。いずれも防漏体１０、吸収体１１と図８（Ｃ）、（Ｄ）と同じ条件で配置された形状保持材２３を持ち、更に伸縮性側縁部１５と本体シート部１６からなるＳＣＳとＩＬＧ２９とを備えている。図１１（Ｃ）は着用前の製品の状態を、図１１（Ｄ）は着用状態を示したものである。いずれも防漏体１０、吸収体１１とＩＬＧ２９とを備えている。吸収体１１は両者のオムツとも同じ仕様で、ＳＡＰとパルプの混合体をティシュペーパーで被覆したものである。
【００７２】
本発明の一例のオムツと従来品のオムツとを比較すると、着用前の製品状態、即ち図１１（Ａ）と図１１（Ｃ）とは外観上大きな形状の違いは観察されないが、着用した時の状態である図１１（Ｂ）と図１１（Ｄ）とを比較すると、股下部にＶ字型あるいはＵ字型の形状を持つ図１１（Ｂ）では、防漏体１０、吸収体１１そしてＳＣＳを含めて、全体が均一に下に凸の形状になるように変形する。一方、ＳＣＳを持たない従来品では、吸収体１１が不規則に変形して股下部に押し込まれた状態になる。このようないわゆるバンチング状態は、パンツタイプ、テープタイプを含めて、従来の吸収体製品に共通して起こっている現象である。
【００７３】
以上、本発明の吸収体物品を図示の各実施形態に基づいて説明したが、本発明は、これらに限定されるものではなく、例えば、各部の構成は、同様の機能を発揮しうる任意の構成と置換することが出来る。また、各実施形態における各部の構成を任意に組み合わせて、別の実施形態とすることが出来る。
【産業上の利用可能性】
【００７４】
本発明の吸収体物品は、紙オムツ（子供用及び大人用）、失禁用品（人用及びペット用）、トレーニングパンツ、女性用生理用品等に好適に用いられる。
【符号の説明】
【００７５】
１００  吸収体物品
１０  防漏体
１１  吸収体
１２  サーフェスシート
１３  吸収体接合部
１４  アウターレッグギャザー（ＯＬＧ）
１５  伸縮性側縁部
１６  本体シート部
１６Ａ  液透過性部分  
１６Ｂ  液不透過性部分
１７  スキンコンタクトシート（ＳＣＳ）
１８  前端接合部
１９  後端接合部
２０  移行出口（スリット）
２１  着脱材
２２  接合部
２３  形状保持材
２４  スリット
２５  側面接合部
２６  吸収体
２７  補助吸収体
２８  主吸収体
２９  インナーレッグギャザー（ＩＬＧ）
３０  ヒップラップギャザー（ＨＷＧ）
【図１】
2016059673.tif 000003
【図２】
2016059673.tif 000004
【図３】
2016059673.tif 000005
【図４】
2016059673.tif 000006
【図５】
2016059673.tif 000007
【図６】
2016059673.tif 000008
【図７】
2016059673.tif 000009
【図８】
2016059673.tif 000010
【図９】
2016059673.tif 000011
【図１０】
2016059673.tif 000012
【図１１】
2016059673.tif 000013